(57)【要約】【課題】視認性、および島内における不要電波をも抑制し得る電磁波シールド性を同時に兼ね備える表示ユニットを提供する。【解決手段】表示装置および制御装置を包囲するようにして収容するための透明電磁波シールドケースであって、その内面全てをＡｇおよび／またはＩＴＯで形成されたシールド膜にて被覆されてなるものである透明電磁波シールドケース。【選択図】    図１
2004313465.tif 000002
【特許請求の範囲】
【請求項１】
表示装置および制御装置を包囲するようにして収容するための透明電磁波シールドケースであって、その内面全てをＡｇおよび／またはＩＴＯで形成されたシールド膜にて被覆されてなるものである透明電磁波シールドケース。
【請求項２】
中空の平板状六面体であり、その六つの内面全てをＡｇおよび／またはＩＴＯで形成されたシールド膜にて被覆されてなるものである、請求項１に記載の透明電磁波シールドケース。
【請求項３】
厚み方向一方側の内面を被覆するシールド膜の抵抗値が、該厚み方向一方側の内面に隣り合う四つの内面を被覆するシールド膜の抵抗値以下であることを特徴とする請求項２に記載の透明電磁波シールドケース。
【請求項４】
厚み方向一方側の内面を被覆するシールド膜と、該厚み方向一方側の内面に隣り合う四つの内面を被覆するシールド膜との抵抗値の比が１：１．５〜１：３である、請求項３に記載の透明電磁波シールドケース。
【請求項５】
厚み方向一方側の壁部がレンズ状に形成されたものである、請求項２〜４のいずれかに記載の透明電磁波シールドケース。
【発明の詳細な説明】
【０００１】
【発明の属する技術分野】
パチンコ機、スロットマシン、コインゲーム機、クレーンゲーム機、ピンボール機などの表示装置付きの遊技機に使用される透明電磁波シールドケースに関する。
【０００２】
【従来の技術】
従来より、筐体の一部をガラス、透明樹脂などの透明板にて形成して外部より筐体の内部の遊技盤を透視可能とし、筐体内部に遊技のための各種の電子機器を配設して、遊技盤を外部より透視しつつ遊技を行う、パチンコ機、スロットマシン、コインゲーム機、クレーンゲーム機、ピンボール機などといった遊技機が広く使用されている。
【０００３】
近年では、遊技盤の略中央に液晶パネルなどの表示装置を有し、その表示装置により様々な図柄を表示することができる遊技機が知られている。かかる表示装置付きの遊技機においては、表示装置と、表示装置を制御する制御装置とを、中空平板状の透明ケースに収容してなる表示ユニットを、表示装置が遊技盤の略中央に配置されるように設置してなる。
【０００４】
上記表示ユニットにおいては、不正ＲＯＭなどが使用されていないか否か、ケースを開封せずとも外部より確認できるようにする目的から、視認性（透明性）が要求される（たとえば、特許文献１を参照。）。また、不正行為で発生する電磁波から制御装置、表示装置を守る目的から、電磁波シールド性を有することも要求される。これら視認性および電磁波シールド性を同時に満たすべく、従来、筐体の透明板にＩＴＯ膜（たとえば、特許文献２を参照。）や導電性膜（たとえば、特許文献３を参照。）を設けるといった解決策が採られてきていた。
【０００５】
近年ではさらに、島（パチンコ機を複数台、背中合わせにして列状に並べた集合）内で発生する電磁波による機器の誤動作が問題視されてきている。すなわち、図４に簡略化して示すように、たとえばパチンコ機Ｐ１〜Ｐ６とＰ７〜Ｐ１２、Ｐ１３〜Ｐ１８とＰ１９〜Ｐ２４が背中合わせにして列状に並べられて各島が形成される場合において、パチンコ機Ｐ４で不要電波が発生すると、該パチンコ機Ｐ４の周辺に位置するパチンコ機Ｐ３、Ｐ５、Ｐ９〜Ｐ１１において、機器の誤作動が生じる。上述してきた従来の解決策では、このような島内で発生する電磁波による機器の誤動作を防ぐことはできず、またかかる問題に対し何らの対策が講じられていなかった。
【０００６】
【特許文献１】
特開２００１−１２９１９４号公報
【特許文献２】
特開２００１−１０４６００号公報
【特許文献３】
登録実用新案第３０２８１７５号
【特許文献４】
特開２０００−１５３０５０号公報
【０００７】
【発明が解決しようとする課題】
本発明は、上記課題を解決するためになされたものであって、その目的とするところは、視認性、および島内における不要電波をも抑制し得る電磁波シールド性を同時に兼ね備える透明電磁波シールドケースを提供することである。
【０００８】
【課題を解決するための手段】
本発明者らは、上記課題を解決するため鋭意研究を行った結果、本発明を完成するに至った。即ち、本発明は以下のとおりである。
（１）表示装置および制御装置を包囲するようにして収容するための透明電磁波シールドケースであって、その内面全てをＡｇおよび／またはＩＴＯで形成されたシールド膜にて被覆されてなるものである透明電磁波シールドケース。
（２）中空の平板状六面体であり、その六つの内面全てをＡｇおよび／またはＩＴＯで形成されたシールド膜にて被覆されてなるものである、上記（１）に記載の透明電磁波シールドケース。
（３）厚み方向一方側の内面を被覆するシールド膜の抵抗値が、該厚み方向一方側の内面に隣り合う四つの内面を被覆するシールド膜の抵抗値以下であることを特徴とする上記（２）に記載の透明電磁波シールドケース。
（４）厚み方向一方側の内面を被覆するシールド膜と、該厚み方向一方側の内面に隣り合う四つの内面を被覆するシールド膜との抵抗値の比が１：１．５〜１：３である、上記（３）に記載の透明電磁波シールドケース。
（５）厚み方向一方側の壁部がレンズ状に形成されたものである、上記（２）〜（４）のいずれかに記載の透明電磁波シールドケース。
【０００９】
【発明の実施の形態】
以下、本発明を詳細に説明する。
図１は、本発明の好ましい一例の透明電磁波シールドケース４を備える表示ユニット１を簡略化して示す図であり、図１（ａ）は正面図、図１（ｂ）は側面図である。また図２は、図１（ｂ）に示す表示ユニット１の一部を拡大して示す断面図である。本発明の透明電磁波シールドケース４は、表示装置２と、該表示装置２を制御する制御装置３とを包囲するようにして収容するためのものであり、図１のように透明電磁波シールドケース４の内部に表示装置２および制御装置３が収容されて、表示ユニット１が形成される。ここで、「表示装置および制御装置を包囲するようにして収容する」とは、開口などを有しない透明電磁波シールドケースによって、表示装置および制御装置を実質的に完全に包み込むようにその内部空間に収容することを指す（なお透明電磁波シールドケースは、表示装置および制御装置を実質的に完全に包み込むようにその内部空間に収容し得るならば、孔などが形成されていてもよい）。本発明の透明電磁波シールドケース４は、開口を有しない中空物であり、その内面（シールドケースの外壁の内部空間側の面）の全てをＡｇ（銀）および／またはＩＴＯ（インジウム・スズ酸化物）で形成されたシールド膜にて被覆されてなることを特徴とするものである。本発明においては、かかる特徴を有することによって、視認性、および島内における不要電波をも抑制し得る電磁波シールド性を同時に兼ね備える透明電磁波シールドケース４が実現される。
詳細には、ケース構造自体を非導電性の材料（たとえば、後述する樹脂材料）と、導電性のシールド膜の二層構造とした点に特徴があり、ケースの外面部分は、非導電性の材料で形成されているため、静電気に強く、内面部分は導電性のシールド膜であるため、電磁波に強く、例えば、樹脂に導電性材料を配合したものでケース自体を形成した場合に起こる、静電気に対して弱くなってしまうという問題も発生しない。
【００１０】
本明細書において「視認性」とは、外部よりその内部を透視して状態を目視にて確認し得る性能をいう。かかる視認性は、具体的には、ＪＩＳ  Ｋ  ７１０５「プラスチックの光学的特性試験方法」の規定に基づき、たとえば、積分球式光線透過率測定装置を使用して測定された光線透過率が４０％以上（好適には、６０％以上）の透明性（透光性）を有することを指す。
また「電磁波シールド」とは、たとえば、伝達インピーダンス法で測定された５０ＭＨｚ〜８００ＭＨｚの不要電磁波を４ｄＢ以上（好適には、５ｄＢ以上）シールドすることを指し、具体的には、島内で発生する不要電磁波をシールドし得ることを指す。島内で発生する不要電磁波をシールドし得るか否かは、たとえば、島を模擬した実地形態での性能試験を行い、誤作動の発生確率を測定することで確認することができる。
【００１１】
透明電磁波シールドケース４のケース本体（シールド膜で被覆される前のもの）を形成する材料としては、上記光線透過率が８５％以上のものであればよく、従来公知のガラス、透明アクリル樹脂、透明塩化ビニル、透明ポリカーボネイトなどが挙げられる。中でも非導電性を有する樹脂材料にてケース本体を形成することが好ましく、透明性、強度、難燃性の観点からは、透明ポリカーボネイトにてケース本体を形成することが特に好ましい。上記ケース本体は、その形成材料および形状に応じて、従来公知の適宜の成形法を選択することで形成することができる。
【００１２】
本発明の透明電磁波シールドケース４は、その内面全てを、Ａｇおよび／またはＩＴＯで形成されたシールド膜にて被覆されてなる。本発明の電磁波シールドケース４は、上述のようにその内部空間に表示装置２および制御装置３を包囲するようにして収容し得るものであるならば、その形状に特に制限はなく、中空の平板状六面体、中空の平板状多面体、中空の球体、曲面と平面とを組み合わせた多面体などが挙げられる。中でも、表示装置および制御装置を効率的にパッキングし得ることから、透明電磁波シールドケースは、中空の平板状六面体であって、その六つの内面の全てをＡｇまたはＩＴＯで形成されたシールド膜にて被覆されてなるように実現されるのが好ましい。なお、本明細書中でいう「平板状」には、たとえば後述する図３に示す例のように、一部に曲面を含んでいても全体的に平板状物であるならば包含されるものとする。図１には、たとえば、電磁波シールドケース４が正面側ケース部材４ａと背面側ケース部材４ｂとで構成され、表示装置２および制御装置３を収容するようにしてこれら部材を嵌め合わせることで、中空の平板状六面体の透明電磁波シールドケース４を実現した例を示している。
【００１３】
Ａｇにてシールド膜を形成すると、視認性および電磁波シールド性のうち、電磁波シールド性に特に優れた透明電磁波シールドケースを実現することができる。すなわち、Ａｇ膜にて実現されたシールド膜は、上述した光線透過率および電磁波シールド性の各範囲のうち、上記光線透過率が４０％〜５０％であり、かつ１５ｄＢ〜３０ｄＢの不要電磁波をシールドし得るように実現される。
【００１４】
Ａｇにてシールド膜を形成する場合、従来公知のＡｇ膜を形成する方法、たとえば真空蒸着法、スパッタリング法、ＭＢＥ（ｍｏｌｅｃｕｌａｒ  ｂｅａｍ  ｅｐｉｔａｘｙ）法などの方法で好適に形成することができる。中でも、緻密で均質な薄膜を再現性よく形成することができる点で、スパッタリング法にてＡｇ膜を形成するのが好ましい。Ａｇ膜を形成するにあたっての条件は、各製造方法に応じて好適な条件を適宜選択することができ、特に制限されるものではない。
【００１５】
ＩＴＯにてシールド膜を形成すると、視認性および電磁波シールド性のうち、視認性に特に優れた透明電磁波シールドケースを実現することができる。すなわち、ＩＴＯ膜にて実現されたシールド膜は、上述した光線透過率および電磁波シールド性の各範囲のうち、上記光線透過率が８０％〜９０％であり、かつ４ｄＢ〜５ｄＢの不要電磁波をシールドし得るように実現される。
【００１６】
ＩＴＯにてシールド膜を形成する場合、従来公知のＩＴＯ膜を形成する方法、たとえば、真空蒸着法、スパッタリング法、ＭＢＥ（ｍｏｌｅｃｕｌａｒ  ｂｅａｍ  ｅｐｉｔａｘｙ）法などの方法で好適に形成することができる。中でも、緻密で均質な薄膜を再現性よく形成することができる点で、スパッタリング法にてＩＴＯ膜を形成するのが好ましい。ＩＴＯ膜を形成するにあたっての条件は、各製造方法に応じて好適な条件を適宜選択することができ、特に制限されるものではない。
【００１７】
図３は、本発明の好ましい他の例の透明電磁波シールドケース４４を備える表示ユニット１１を簡略化して示す側面図である。本発明の透明電磁波シールドケースは、図３に示す例のように、中空の平板状六面体であって、その厚み方向一方Ｚ１側の壁部がレンズ状（凸レンズ状）に形成されたものであってもよい。かかる透明電磁波シールドケース４４に、表示装置２の表示部分２ａ（たとえば表示装置２が液晶表示装置であれば、液晶部分）が透明電磁波シールドケース４４内において厚み方向一方Ｚ１側に配置されるように（表示装置の表示部分が上記レンズ状に形成された壁部と向かい合うように）、表示装置２および制御装置３を収容させて表示ユニット１１を形成することで、外部から見た際に表示部分が拡大され、視認性が向上されるという利点がある。
【００１８】
本発明における表示装置２は、遊技盤の略中央に設置され、その表示部分に様々な画像を表示するためのものであって、液晶表示装置、ＬＥＤ表示装置、プラズマ表示装置など、当分野において従来より適用されてきたものを特に制限なく使用することができる。好ましくは、表示装置２は液晶表示装置で実現される。表示装置２は、通常、表示ユニット１を遊技機に設置した際に、その表示部分２ａが正面となるように、透明電磁波シールドケース４の前方側において略中央に（図１に示す例では、透明電磁波シールドケース４の厚み方向一方側において、図１（ａ）に示すように略中央に）配置されて、電磁波シールドケース４に収容される。
また、表示装置２の前面（厚み方向一方Ｚ１側の面）の外周部には、導電枠材２ｂ（例えば、金属製の枠）が設けられており、この導電枠材２ｂと後述する透明電磁波シールドケースの内面のシールド膜とが接触する構成を有することで、後述する制御装置、透明電磁波シールドケースが電気的につながっている構造（ＧＮＤに繋がっている（接地）構造）となるので、シールド性が向上し、電荷を溜めることがない。
【００１９】
本発明における制御装置３は、上記表示装置２を制御するためのもの、関連機器の動作を制御するものなどで従来より公知の制御装置であればよい。制御装置３は、通常、表示ユニット１を遊技機に設置した際に、表示装置２で隠れるように、透明電磁波シールドケース４の後方側（図１に示す例では、透明電磁波シールドケース４の厚み方向他方Ｚ２側）に配置されて、金属板（図示せず）等の導体を介して表示装置２と電気的に繋がれている（ＧＮＤに繋がっている）。そのような状態で、制御装置３は電磁波シールドケース４に収容されてなる。
【００２０】
本発明の透明電磁波シールドケースに形成されるシールド膜は、視認性および電磁波シールド性の両方の特性を満足しなければならないという点より、透明電磁波シールドケース４の厚み方向一方Ｚ１側の内面を被覆するシールド膜５ａの抵抗値が、該厚み方向一方側の内面に隣り合う四つの内面を被覆するシールド膜５ｂの抵抗値以下であるのが好ましい。具体的には、透明電磁波シールドケース４の厚み方向一方Ｚ１側の内面を被覆するシールド膜５ａと、該厚み方向一方側の内面に隣り合う四つの内面を被覆するシールド膜５ｂとの抵抗値の比が１：１〜１：４であるのがより好ましく、１：１．１〜１：３であるのがさらに好ましく、１．５：３であるのが特に好ましい。上記抵抗値の比が１：１未満であると、シールド膜５ｂの膜厚が大きく透明性が損なわれてしまう傾向にあるためであり、また、上記抵抗値の比が１：４を超えると、シールド膜５ｂの膜厚が小さくなり擦傷などによりシールド効果が損なわれやすくなる傾向にあるためである。なお、厚み方向一方側の内面に隣り合う四つの内面を被覆するシールド膜５ｂの抵抗値は、上記のように実現されるならば、各面で同じであっても互いに異なっていてもよい。
上記抵抗値の比は、各シールド膜５ａ，５ｂについてＪＩＳ  Ｋ  ７１９４の規定に準拠した四端子法（室温（２３±２℃））にて、表面抵抗計を用いて抵抗値（Ω／□）を測定し、その比を算出することによって得ることができる。
【００２１】
上記シールド膜の抵抗値は、たとえば、上記電磁波シールドケース４の厚み方向一方側Ｚ１の内面を被覆するシールド膜５ａの厚みと、該厚み方向一方側Ｚ１の内面に隣り合う四つの内面を被覆するシールド膜５ｂの厚みとを変えることで調整することができる。
また、透明電磁波シールドケース４の厚み方向一方Ｚ１側の内面を被覆するシールド膜５ａをＡｇにて形成し、該厚み方向一方側の内面に隣り合う四つの内面を被覆するシールド膜５ｂをＩＴＯにて形成することによって、上記抵抗値の比となるように調整してもよい。
【００２２】
本発明の表示ユニット１は、従来公知の、たとえばパチンコ機、スロットマシン、コインゲーム機、クレーンゲーム機、ピンボール機などの表示装置を搭載した遊技機（特には、表示装置を搭載したパチンコ機、スロットマシン）に、好適に使用することができる。
【００２３】
【実施例】
以下に実施例を示し、本発明を具体的に説明するが、本発明は下記の実施例に制限されるものではない。
実施例１〜７、比較例１
下記表１に示すような実施例１〜７、比較例１の中空の平板状六面体であり、その六つの内面全てをシールド膜にて被覆された、透明電磁波シールドケースのサンプルを作製した。
【００２４】
【表１】
2004313465.tif 000003
【００２５】
ケース本体の形成材料としては、いずれも透明ポリカーボネートを用いた。また、シールド膜は、ＩＴＯ、Ａｇのどちらの場合も、スパッタリング法で形成した。また、シールド膜５ａ，５ｂの抵抗値（Ω／□）は、表面抵抗計を用い、上記四端子法（室温）で測定した。
【００２６】
（評価試験）
（１）電磁波シールド性
伝達インピーダンス法で、５０ＭＨｚ〜８００ＭＨｚの電磁波を４ｄＢ以上シールドしたものを合格（４ｄＢ以上５ｄＢ未満であったものを△、５ｄＢ以上であったものを○）と評価し、４ｄＢ未満であったものを不合格（×）と評価した。
（２）透明性（視認性）
積分球式光線透過率装置（分光測色計  ＣＭ３７００ｄ、ミノルタ社製）を用いて光線透過率を測定し、光線透過率が８０％以上であったものを合格（８０％以上８５％未満であったものを△、８５％以上であったものを○）と評価し、８０％未満であったものを不合格（×）と評価した。
（３）総合評価
上記電磁波シールド性、透明性の少なくともいずれかの評価が△であり、かつ×のなかったものを合格品（○）、両特性が○であったものを優良品（◎）、いずれか一方にでも×があったものを不良品（×）と総合評価した。
結果を表２に示す。
【００２７】
【表２】
2004313465.tif 000004
【００２８】
【発明の効果】
以上の説明で明らかなように、本発明によれば、視認性、および島内における不要電波をも抑制し得る電磁波シールド性を同時に兼ね備える透明電磁波シールドケースを提供することができる。
【図面の簡単な説明】
【図１】本発明の好ましい一例の透明電磁波シールドケース４を備える表示ユニット１を簡略化して示す図であり、表示ユニット１を簡略化して示す図であり、図１（ａ）は正面図、図１（ｂ）は側面図である。
【図２】図１（ｂ）に示す表示ユニット１の一部を拡大して示す断面図である。
【図３】本発明の好ましい他の例の透明電磁波シールドケース４４を備える表示ユニット１１を簡略化して示す側面図である。
【図４】島内で発生する不要電波の不具合を説明するための図である。
【符号の説明】
１，１１    表示ユニット
２          表示装置
３          制御装置
４，４４    透明電磁波シールドケース
５          シールド膜
【図１】
2004313465.tif 000005
【図２】
2004313465.tif 000006
【図３】
2004313465.tif 000007
【図４】
2004313465.tif 000008